(57)【要約】      （修正有）【課題】  ノズル取付部など膜体の一部分に荷重や応力が掛からないようにして、ガス貯蔵バックを安定的に支持し、デッドスペースを減少させ、ガスの出入りの作動性、利便性が良いボックス収納型膜式ガスホルダーを提供する。【解決手段】  ガス貯蔵バック２ａは、膨張及び収縮が可能な横置き円筒形状に形成するとともに、ボックス１の天井、側壁及び底壁に対して離反した状態で収納し、ボックス内の下部に充填した緩衝材４ａにてガス貯蔵バックの底部及び側部の一部を支持し、かつガス貯蔵バックのガスの出し入れ及びガスの圧力調整を行うために、ボックス内へエアーを送気するか又はボックス内からエアーを排気する手段及びガスの吸入・排出手段をそれぞれ設ける。【選択図】  図１
2005048930.tif 000002
【特許請求の範囲】
【請求項１】
強化プラスチック材、金属材などからなる剛構造のボックスの中に、気密性及び液密性を
有する可撓性膜材からなる袋体で形成されたガスの出し入れ可能なガス貯蔵バックを収納
する構造のボックス収納型膜式ガスホルダーであって、該ガス貯蔵バックは膨張及び収縮
が可能な横置き円筒形状に形成するとともに、前記ボックスの天井、側壁及び底壁に対し
て離反した状態で収納し、上記ボックス内の下部に充填した緩衝材にて上記ガス貯蔵バッ
クの底部及び側部の一部を支持し、かつ上記ガス貯蔵バックのガスの出し入れ及びガスの
圧力調整を行うために、ボックス内へ外部からエアーを送気するか又はボックス内から外
部にエアーを排気する手段及びガスの吸入・排出手段をそれぞれ設けることを特徴とする
ボックス収納型膜式ガスホルダー。
【請求項２】
強化プラスチック材、金属材などからなる剛構造のボックスの中に、気密性及び液密性を
有する可撓性膜材からなる袋体で形成されたガスの出し入れ可能なガス貯蔵バックを収納
する構造のボックス収納型膜式ガスホルダーであって、該ガス貯蔵バックは膨張及び収縮
が可能な横置き平底ドーム屋根のカマボコ形状の密封型袋体又は底部開口型袋体に形成す
るとともに、前記ボックスの天井及び側壁に対して離反した状態で収納し、上記ボックス
内の下部側壁の周囲に充填した緩衝材にて上記ガス貯蔵バックの側部の一部を支持し、か
つ上記ガス貯蔵バックのガスの出し入れ及びガスの圧力調整を行うために、ボックス内へ
外部からエアーを送気するか又はボックス内から外部にエアーを排気する手段及びガスの
吸入・排出手段をそれぞれ設けることを特徴とするボックス収納型膜式ガスホルダー。
【請求項３】
請求項１又は２記載の緩衝材は、断熱性を有する材料で形成するとともに、前記ボックス
内に充填した緩衝材箇所を除くボックス内の天井壁面及び残余の側壁、並びに前記密封型
袋体又は底部開口型袋体の場合にあっては底壁面のそれぞれに断熱材を設けることを特徴
とする請求項１又は２記載のボックス収納型膜式ガスホルダー。
【請求項４】
強化プラスチック材、金属材などからなる剛構造のボックスの中に、気密性及び液密性を
有する可撓性膜材からなる袋体で形成されたガスの出し入れ可能なガス貯蔵バックを収納
する構造のボックス収納型膜式ガスホルダーであって、該ガス貯蔵バックは横置き円筒の
空気室とガス室とを仕切り壁を介して対向させて蛇腹形状に形成し、該ガス貯蔵バックを
ボックス内で吊り下げ支持し、上記空気室内へのエアーの給排気によって対向する上記ガ
ス室内のガスの出し入れ及びガスの圧力調整を行うために、エアーの送気・排気手段及び
ガスの吸入・排出手段をそれぞれ設けることを特徴とするボックス収納型膜式ガスホルダ
ー。
【発明の詳細な説明】
【技術分野】
【０００１】
この発明は、し尿、浄化槽汚泥、畜産・水産施設からの廃棄物、生ゴミなどの有機性廃
棄物からメタンガス等を発生させるバイオガス処理施設、或いは製鉄所等の廃ガスや低圧
の燃料ガス等の貯蔵設備などに適用するボックス収納型膜式ガスホルダーに関するもので
ある。
【背景技術】
【０００２】
従来の膜式ガスホルダーには、本出願人に係る特願２００２−３１６３３６号（特許文
献１参照）がある。
この発明の「膜式ガスホルダー」は、平底直立円筒ドーム形状の貯槽構造物の外殻内部
に、平底直立円筒ドーム形状の袋体を設置する構造である。
【０００３】
また、上記従来の膜式ガスホルダーを改良し、製作及び設置を簡単にして経済性を向上
した発明には、本出願人に係る特願２００３−１５５３７０号（特許文献２参照）がある
。
この「ボックス収納型膜式ガスホルダー」は、図８の従来例に示すように、運搬用コン
テナボックス等の汎用規格品を有効利用し、この直方体のコンテナボックス１０１の外殻
内部に、横置き円筒形の袋体のガス貯蔵バック１０２を支え部材１０４で支持して収納す
る構造である。この外殻及び袋体は予め工場にて能率良く一体製作し、現地では簡単に据
付けるものであって、設備費や建設費を低減しかつ運搬使用可能にしたものである。
【０００４】
【特許文献１】特願２００２−３１６３３６号
【特許文献２】特願２００３−１５５３７０号
【発明の開示】
【発明が解決しようとする課題】
【０００５】
上記特許文献１の直立平底円筒ドーム形状の「膜式ガスホルダー」は、平底円筒形の袋
体のガス貯蔵バックを直立平底円筒ドーム形状の外殻内に収容して、その底部周縁を固着
した構造であるため、外殻側壁面に袋体の周囲が当接して損傷しないように、壁面と袋体
相互の間隔を大きく取り、補強バンド等で動きを規制する必要があった。そのために周囲
の空間部が広くなって、デッドスペースが大きくなったり、構造が複雑化していた。
【０００６】
また、従来例の図８に示すように、特許文献２「ボックス収納型膜式ガスホルダー」は
、コンテナボックス１０１内に横置き円筒形状のガス貯蔵バック１０２を収納する構造で
ある。
このガス貯蔵バック１０２内の貯蔵ガスの出し入れ及び圧力調整を、外部からボックス１
０１内の外周空間部へ図８の矢印で示すエアーの送気・排気手段を適用して行なう場合に
は、図８の破線で示すように、ガス貯蔵バック１０２は空気圧とガス圧の変動による膨ら
みと収縮の動きが大きくなり、袋体の底部が盛り上ってノズル１０３の取付部近傍に荷重
、引張り応力が掛かり、また中央周囲の支え部材１０４の近傍にも付加荷重が集中して掛
かっていた。
【０００７】
この発明の目的は、上述の従来技術が有する問題点に鑑みてなされたもので、ノズル取
付部など膜体の一部分に荷重や応力が掛からないようにして、ガス貯蔵バックを安定的に
支持し、かつ膜体が周囲の壁面に当接することなく、膜体と周囲壁面の間隔を小さくし緩
衝材を充填してデッドスペースを減少させ、ガスの出入りの作動性、利便性が良い簡単な
収納構造のボックス収納型膜式ガスホルダーを提供するものである。
【課題を解決するための手段】
【０００８】
第１の発明に係るボックス収納型膜式ガスホルダーは、強化プラスチック材、金属材な
どからなる剛構造のボックスの中に、気密性及び液密性を有する可撓性膜材からなる袋体
で形成されたガスの出し入れ可能なガス貯蔵バックを収納する構造のボックス収納型膜式
ガスホルダーであって、該ガス貯蔵バックは膨張及び収縮が可能な横置き円筒形状に形成
するとともに、前記ボックスの天井、側壁及び底壁に対して離反した状態で収納し、上記
ボックス内の下部に充填した緩衝材にて上記ガス貯蔵バックの底部及び側部の一部を支持
し、かつ上記ガス貯蔵バックのガスの出し入れ及びガスの圧力調整を行うために、ボック
ス内へ外部からエアーを送気するか又はボックス内から外部にエアーを排気する手段及び
ガスの吸入・排出手段をそれぞれ設けるものである。
【０００９】
また、第２の発明に係るボックス収納型膜式ガスホルダーは、強化プラスチック材、金
属材などからなる剛構造のボックスの中に、気密性及び液密性を有する可撓性膜材からな
る袋体で形成されたガスの出し入れ可能なガス貯蔵バックを収納する構造のボックス収納
型膜式ガスホルダーであって、該ガス貯蔵バックは膨張及び収縮が可能な横置き平底ドー
ム屋根のカマボコ形状の密封型袋体又は底部開口型袋体に形成するとともに、前記ボック
スの天井及び側壁に対して離反した状態で収納し、上記ボックス内の下部側壁の周囲に充
填した緩衝材にて上記ガス貯蔵バックの側部の一部を支持し、かつ上記ガス貯蔵バックの
ガスの出し入れ及びガスの圧力調整を行うために、ボックス内へ外部からエアーを送気す
るか又はボックス内から外部にエアーを排気する手段及びガスの吸入・排出手段をそれぞ
れ設けるものである。
【００１０】
また、第３の発明に係るボックス収納型膜式ガスホルダーは、上記請求項１又は２記載
の緩衝材を、断熱性を有する材料で形成するとともに、前記ボックス内に充填した緩衝材
箇所を除くボックス内の天井壁面及び残余の側壁、並びに前記密封型袋体又は底部開口型
袋体の場合にあっては底壁面のそれぞれに断熱材を設けるものである。
【００１１】
また、第４の発明に係るボックス収納型膜式ガスホルダーは、強化プラスチック材、金
属材などからなる剛構造のボックスの中に、気密性及び液密性を有する可撓性膜材からな
る袋体で形成されたガスの出し入れ可能なガス貯蔵バックを収納する構造のボックス収納
型膜式ガスホルダーであって、該ガス貯蔵バックは横置き円筒の空気室とガス室とを仕切
り壁を介して対向させて蛇腹形状に形成し、該ガス貯蔵バックをボックス内で吊り下げ支
持し、上記空気室内のエアーの給排気によって対向する上記ガス室内のガスの出し入れ及
びガスの圧力調整を行うために、エアーの送気・排気手段及びガスの吸入・排出手段をそ
れぞれ設けるものである。
【発明の効果】
【００１２】
第１の発明に係るボックス収納型膜式ガスホルダーは、強化プラスチック材、金属材な
どからなる剛構造のボックスの中に、気密性及び液密性を有する可撓性膜材からなる袋体
で形成されたガスの出し入れ可能なガス貯蔵バックを収納する構造のボックス収納型膜式
ガスホルダーであって、該ガス貯蔵バックは膨張及び収縮が可能な横置き円筒形状に形成
するとともに、前記ボックスの天井、側壁及び底壁に対して離反した状態で収納し、上記
ボックス内の下部に充填した緩衝材にて上記ガス貯蔵バックの底部及び側部の一部を支持
し、かつ上記ガス貯蔵バックのガスの出し入れ及びガスの圧力調整を行うために、ボック
ス内へ外部からエアーを送気するか又はボックス内から外部にエアーを排気する手段及び
ガスの吸入・排出手段をそれぞれ設けるので、膜体及びガスの荷重を底面全体で平均に安
定して支え、底部膜体に膨張収縮の変形や局部応力を生じることがないため、ノズル取付
け部周縁近傍に引張応力等の局部荷重が掛かることなく、膜体が損傷劣化することのない
耐久性に優れたガス貯蔵バックにすることができる。
また、ガス貯蔵バック内へのガスの吸入・排出に伴う、膜体の変動に対しても、上方が
開放され膜体が自由に動くため膨張及び収縮や上下動の作動性が良く、ガス貯蔵バックの
外周空間部へのエアーの送気・排気によるエアー圧力調整によって、ガス貯蔵バック内の
所定のガス圧を保持することができ、ガスの圧力調整及び吸入・排出を簡単容易に行なう
ことが可能となる。
【００１３】
また、第２の発明に係るボックス収納型膜式ガスホルダーは、強化プラスチック材、金
属材などからなる剛構造のボックスの中に、気密性及び液密性を有する可撓性膜材からな
る袋体で形成されたガスの出し入れ可能なガス貯蔵バックを収納する構造のボックス収納
型膜式ガスホルダーであって、該ガス貯蔵バックは膨張及び収縮が可能な横置き平底ドー
ム屋根のカマボコ形状の密封型袋体又は底部開口型袋体に形成するとともに、前記ボック
スの天井及び側壁に対して離反した状態で収納し、上記ボックス内の下部側壁の周囲に充
填した緩衝材にて上記ガス貯蔵バックの側部の一部を支持し、かつ上記ガス貯蔵バックの
ガスの出し入れ及びガスの圧力調整を行うために、ボックス内へ外部からエアーを送気す
るか又はボックス内から外部にエアーを排気する手段及びガスの吸入・排出手段をそれぞ
れ設けるので、上記緩衝材によって膜体側面下部が側壁面に当らず、摩擦することがなく
磨耗や破損の心配がないため耐久性に優れた膜体となる。そして、底部膜体の周縁固定部
は緩衝材で保持されるので、ガス圧の変動による繰返し変形や膨張による破損を防止する
ことができる。
また、ガス貯蔵バック内へのガスの吸入・排出に伴う膜体の変動に対しても、上方が開
放され膜体が自由に動くため膨張及び収縮や上下動の作動性が良く、さらに下方は底部が
変動することなく安定し、ノズル取付部もボックス底部に固着されているので、ガス貯蔵
バックの外周空間部へのエアーの送気・排気によるエアー圧力調整によって、ガス貯蔵バ
ック内の所定のガス圧を保持することができ、ガスの圧力調整及び吸入・排出を、一層機
能的に行なうことが可能となる。
さらに、膜体の側部から底部周囲にデッドスペースが少なくなり貯蔵ガスの収納効率が良
く、底部へのノズルの取り付けも簡単にできる。
【００１４】
また、第３の発明に係るボックス収納型膜式ガスホルダーは、上記請求項１又は２記載
の緩衝材を、断熱性を有する材料で形成するとともに、前記ボックス内に充填した緩衝材
箇所を除くボックス内の天井壁面及び残余の側壁、並びに前記密封型袋体又は底部開口型
袋体の場合にあっては底壁面のそれぞれに断熱材を設けるので、膜体の周囲は断熱材で覆
われるため、冬期や寒冷地であっても、膜体が低温劣化することなく耐久性が向上し、ガ
スの保温性能も向上しガス中の水分やガス成分の凝縮や凍結を防止することができる。
そして、ガス中の水分の凝結や凍結による膜同士の張り付きや、ガス流出ノズル内の閉
塞などを防止することができる。また、必要に応じて断熱材の内部にヒーターを設置して
加温する構造にすることも簡単で、寒冷地での利用を図ることができる。
【００１５】
また、第４の発明に係るボックス収納型膜式ガスホルダーは、強化プラスチック材、金
属材などからなる剛構造のボックスの中に、気密性及び液密性を有する可撓性膜材からな
る袋体で形成されたガスの出し入れ可能なガス貯蔵バックを収納する構造のボックス収納
型膜式ガスホルダーであって、該ガス貯蔵バックは横置き円筒の空気室とガス室とを仕切
り壁を介して対向させて蛇腹形状に形成し、該ガス貯蔵バックをボックス内で吊り下げ支
持し、上記空気室内のエアーの給排気によって対向する上記ガス室内のガスの出し入れ及
びガスの圧力調整を行うために、エアーの送気・排気手段及びガスの吸入・排出手段をそ
れぞれ設けるので、吊り下げ支持の蛇腹形状膜体の伸張拡大、収縮折畳みが容易となり、
作動性良く所定の圧力調整、及び吸入、排出を行うことができる。
そして、このように空気室とガス室を設ける場合には、ボックス内を加圧する必要がな
いため、気密性を有しないボックスの使用が可能となる。
【発明を実施するための最良の形態】
【００１６】
この発明に係るボックス収納型膜式ガスホルダーの実施の形態について、図１乃至図７
を参照して説明する。
図１及び図３はガス貯蔵バックを横置き円筒形状とした場合の縦断面説明図であり、図
２及び図４はガス貯蔵バックを横置き平底ドーム屋根のカマボコ形状とした場合の縦断面
説明図である。
剛構造の外殻ボックス１は、強化プラスチック材（ＦＲＰなど）を用いて接着又は溶着
やボルト・ナットでパネル接合した樹脂製、或いは鋼板材等を用いて溶接やパネル接合し
た金属製などからなり、矩形平面形状の底板と側板と天井板とからなる直方体形状に形成
する。
この剛構造のボックス１はコンテナボックスを使用し、このコンテナボックス１の外殻
の内部に、ガスを収容するための気密性及び液密性を有し軽量で引張強度を有する可撓性
膜材で袋体に形成したガス貯蔵バック２を収納する。
そして、このコンテナボックス１には、ガス貯蔵バック２及びノズル等を予め工場で一
体成形して収納することにより、この一体完成品を車両で現場に搬入し、現地では接続配
管と連結して据付けるだけで施工性良く使用することができる。
【００１７】
図１において、横置き円筒形状のガス貯蔵バック２ａは、コンテナボックス１内の天井
壁、側壁及び底壁のそれぞれの表面から離反した状態に位置させ、側面中央から上方ドー
ム部の膨張及び収縮が可能となるように上方は開放され、側面中央から下方底部は、膨張
及び収縮することなく動かないように緩衝材４ａを充填し、この緩衝材４ａの中央に凹部
を設け、ガス貯蔵バック２ａ下方底部の湾曲面全体を沈み込ませた状態で平均に支承する
。
なお、図１では、ガス貯蔵バック２ａが浮き上がらないようにする係留材6を設けた場合
を示す。この係留材6は、例えばワイヤロープ、布製帯片などを用いる。或いは、緩衝材
４ａ表面に着脱自在構造の両面テープ、布ファスナーなどを使用し、ガス貯蔵バック２ａ
と緩衝材４ａを固着する。
ガス貯蔵バック２ａの底部には、ガスの吸入・排出手段として、出入口等のノズル３を
設け、既設配管と接続してガス貯蔵バック２ａ内部にガスを吸入、排出する。
そして、ガス貯蔵バック２ａへのガスの吸入及び排出、ガス圧の調整は、ブロア９を用
いて、外部からコンテナボックス１とガス貯蔵バック２ａとの間にエアーを送気又は排気
してエアー圧力を調整して行なう。ガス貯蔵バック２ａ内にガスを吸入する場合には、エ
アーを送気しないか又は排気し、或いはガスの吸入圧力よりも低圧にエアーを保持してガ
スを貯蔵する。また、貯蔵ガスを供給する場合には、所定の操業ガス圧と同じ圧力をエア
ー圧力に設定し、図１の矢印で示すエアー圧力でガス貯蔵バック２ａを押圧する。ガス貯
蔵バック２ａは、図１の破線に示すように収縮し、ガス貯蔵バック２ａ内のガスが排出さ
れる。
或いは、図示しないが、気密性を有しないコンテナボックスで、ブロアとエアーを使用し
ない場合には、環状のウエイトをガス貯蔵バックの上面に載荷し、ワイヤ及び重錘などを
用いて、ガスの圧力調整及び給排出を行うようにする。
【００１８】
このように、ガス貯蔵バック２ａは横置き円筒形状に形成し、底面下部を緩衝材４ａで支
持するので、荷重を平均に支えるため膜体に局部応力を生じることがなく、またノズル３
の取付け部に局部応力が掛かることがない。
また、ガス貯蔵バック２ａの上部は、開放されて自由に膨張及び収縮するので、ガスの出
入りの作動性は良く、膜体が損傷劣化することがなく、耐久性に優れたガス貯蔵バック２
ａとなる。
【００１９】
図２は、直方体のコンテナボックス１外殻内に、膨張及び収縮が可能な横置き平底ドー
ム屋根のカマボコ形状の密封型袋体、又は底部開口型袋体に形成したガス貯蔵バック２ｂ
を収容して、底部周縁を底壁に気密に固定した構造を示す。
この構造は、外殻内壁面に袋体の周囲が当接することなく、天井、側壁から離反し、上方
ドーム部の膨張及び収縮が可能となるように開放され、側壁面下部周囲には緩衝材４ｂを
充填することにより、水平方向の動きを規制し、側壁に接触して損傷しないようにすると
ともに、間隔が大きくならずデッドスペースが生じないように形成する。
ガスの吸入・排出手段としての出入口等のノズル３は、カマボコ形状の密封型袋体の場
合はコンテナボックス１の底壁を貫通して袋体に設け、また底部開口型袋体の場合はコン
テナボックス１の底壁に直接設ける。
そして、ガス貯蔵バック２ｂ内へのガスの吸入・排出及び圧力調整は、ブロア９を用い
て、外部からコンテナボックス１とガス貯蔵バック２ｂとの間にエアーを送気又は排気し
てエアー圧力を調整して行なう。ガス貯蔵バック２ｂ内にガスを吸入する場合には、エア
ーを送気しないか又は排気し、或いはガスの吸入圧力よりも低圧にエアーを保持してガス
を貯蔵する。また、貯蔵ガスを供給する場合には、所定の操業ガス圧と同じ圧力をエアー
圧力に設定し、図２の矢印で示すエアー圧力でガス貯蔵バック２ｂを押圧する。ガス貯蔵
バック２ｂは、図２の破線に示すように収縮し、ガス貯蔵バック２ｂ内のガスが排出され
る。
或いは、図示しないが、気密性を有しないコンテナボックスでブロアとエアーを使用しな
い場合には、環状のウエイトをガス貯蔵バックの上面に載荷し、ワイヤ及び重錘などを用
いて、ガスの圧力調整及び吸入、排出を行うようにする。
【００２０】
このように、ガス貯蔵バック２ｂは横置き平底ドーム屋根のカマボコ形状に形成し、側
壁面下部周囲を緩衝材４ｂで押えて支えるので、ガスの出入りや圧力変動に対して、膜体
側面が側壁に当らず摩擦することがなく、損傷や破損の心配がなく耐久性に優れた膜体と
なる。
ガス貯蔵バック２ｂの底部周縁と底壁との固定部は、図示省略するが固定具で保持され
ており、側壁面下部周囲には緩衝材４ｂが接しているため、上記固定部は水平方向の剥離
応力や局部応力が発生しないので膜体の損傷劣化を防止することができる。
また、ガス貯蔵バック２ｂの上方は開放され、コンテナボックス１の天井及び側壁に対し
て離反した状態であるため、膨張及び収縮の作動性が良い。
さらに、ガス貯蔵バック２ｂの下側周囲にはデッドスペースが生じないため、ガス収納効
率が良く、コンテナボックス１の底部へのノズル３の取り付けも簡単にできる。
【００２１】
図３は、図１における緩衝材４ａを、断熱性を有する材料５ａで形成し、さらにコンテ
ナボックス１内の天井壁面から側壁面にわたって断熱材５ｂを設けたものである。
荷重を支える断熱材５ａは、例えば硬質のポリウレタン、ロックウールなどを使用し、
荷重の掛からない断熱材５ｂは、例えば発泡ポリウレタン、発泡スチロール等の断熱材を
吹付け施工、又は貼付け施工する。
【００２２】
図４は、図２における緩衝材４ｂを、断熱性を有する材料５ａで形成し、コンテナボッ
クス１内の天井壁面から側壁面にわたって断熱材５ｂを設け、さらに底壁面には断熱材５
ｃを設ける。なお、断熱材５ａは軟質又は硬質のポリウレタン等を充填し、断熱材５ｂは
発泡ポリウレタン等の断熱材を吹付け施工し、断熱材５ｃは粒状又はブロック状のポリウ
レタン、発泡スチロール等を底部に充填する。
【００２３】
上記のように、図３及び図４に示す緩衝材４ａ，４ｂは断熱性を有する材料５ａで形成
し、コンテナボックス１内の天井壁面から側壁面及び底壁面にわたって断熱性を有する部
材５ｂ，５ｃを設けるので、ガス貯蔵バック２ａ，２ｂの周囲は断熱材で覆われるため、
冬期寒冷地に設置し使用することが可能となり、膜体が低温劣化することなく耐久性が向
上し、ガスの保温性能も向上し水分やガス成分の凝縮や凍結を防止することができる。
そして、膜同士の張り付きやノズル部の凍結閉塞を防止し、さらに必要に応じて、ヒー
ターなどの加温対策を施すことも可能となる。
【００２４】
図５及び図６は、ガス貯蔵バック２の他の実施形態例を示し、ガスの出し入れ及び圧力を
調整する状況を示す縦断面説明図である。
ガス貯蔵バック２は横置き円筒の空気室７とガス室８とを仕切り壁１３を介して対向させ
て各蛇腹形状のガス貯蔵バックに形成する。そして、このガス貯蔵バック２を吊り下げ支
持し、ブロア９のエアーによってガスの圧力調整をするように形成するものである。
【００２５】
ガス貯蔵バック２のガス室８内へガスを吸入する場合には、図５に示すように、ブロア
９を稼動させることなく、入口１０からガス室８内へガスを吸入させガス室８を膨張させ
るとともに、空気室７からエアーを排気して空気室７を収縮させる。この場合、仕切り壁
１３を介して、圧力Ｐ１のガスがガス室８内へ吸入されるように、空気室７内のエアー圧
力をＰ１−αに低下させる。
【００２６】
ガス貯蔵バック２のガス室８からガスを排出する場合には、図６に示すように、ブロア
９を稼動させて空気室７内へエアーを送気することによって、空気室７を膨張させるとと
もに、ガス室８を収縮させて、ガス室８内のガスを出口１１から排出させる。この場合、
ガスの圧力は、所定の供給圧力Ｐ２が確保されるように、仕切り壁１３で隔てた空気室７
内のエアー圧力をＰ２に設定し、常に所定の操業圧力を保持する。
【００２７】
図７は、図５及び図６に示す蛇腹状ガス貯蔵バック２の取付け事例を示す斜視説明図で
ある。
コンテナボックス１の天井両脇に平行して吊り下げ用のレール１４を設け、複数本のワ
イヤロープ１５を垂下し蛇腹状ガス貯蔵バック２の両肩部の係合材１６ａに固定する。ま
た、蛇腹状ガス貯蔵バック２の両脇下部は係合材１６ｂを設け、ガイドワイヤ１７を張っ
てスライド出来るように支持する。
【００２８】
図５乃至図７に示すように、ガス貯蔵バック２は横置き円筒の空気室７とガス室８とを
仕切り壁１３を介して対向させ蛇腹形状に形成し、該ガス貯蔵バック２を吊り下げ支持し
、エアーによって伸張・収縮させるように形成するので、蛇腹形状膜体の伸縮折畳み性能
が良くなり、ガスの圧力調整及び吸入・排出を作動性良く行うことができる。
【００２９】
ガス貯蔵バック２を形成する可撓性膜材は、例えば、ポリオレフィン系樹脂、エチレン
酢酸ビニール系樹脂、ポリ塩化ビニール樹脂等の合成樹脂材で形成したシート体、或いは
ポリエステル繊維やガラス繊維等の繊維に、上記ポリ塩化ビニール系樹脂等の合成樹脂を
コーティングした布膜材などの気密性及び液密性を有するシート体を用いる。
このガス貯蔵バック２はコンテナボックス１の中に収納されるので、日光や外気に曝さ
れることないため、紫外線等による劣化がなく、強風による膜体の崩壊や飛来物による破
損を防止することができ、安全性や耐久性を確保することができる。
【産業上の利用可能性】
【００３０】
直方体形状で箱型のボックス１は、膜体を保護する外殻構造物として簡単な構造であっ
て、例えば、２０〜４０フィート（６〜１２メートル）程度の長さで、容積は２０〜４０
立方メートル程度の収納庫等の規格品を使用することによって、構築費用を低減すること
ができる。
さらに、このボックス１は運搬用コンテナボックスなどを使用することができ、ＪＩＳ
規格等の運搬可能な標準品のコンテナボックス１を使用した場合には、通常のコンテナ搬
送用の車輌で運搬し現地で据付ける作業だけで使用でき、また、ガスの需要に応じて適宜
移動して使用することが可能となる。そして、現地使用場所にて、ガス使用済みのコンテ
ナボックスを、ガスを充填したコンテナボックスに簡単に交換することにより、バイオガ
スを遠隔地に安定供給することができる。
さらに、コンテナボックスを保温構造にして、寒冷地などへの利用拡大を図ることも可能
となる。
【図面の簡単な説明】
【００３１】
【図１】第１の発明に係るボックス収納型膜式ガスホルダーの実施形態例を示し、ガス貯蔵バックを横置き円筒形状として、底部を緩衝材で支持した場合の正面及び側面説明図である。
【図２】第２の発明に係るボックス収納型膜式ガスホルダーの実施形態例を示し、ガス貯蔵バックを横置き平底ドーム屋根のカマボコ形状として、側壁周囲下部に緩衝材を設けた場合の正面及び側面説明図である。
【図３】図１のボックス収納型膜式ガスホルダーを、断熱構造とした場合を示す縦断面説明図である。
【図４】図２のボックス収納型膜式ガスホルダーを、断熱構造とした場合を示す縦断面説明図である。
【図５】ボックス収納型膜式ガスホルダーの第３の実施形態例を示し、仕切り壁を介して空気室とガス室を対向させた蛇腹状ガスバックに形成した場合であって、ガス吸入作動状況を示す縦断面説明図である。
【図６】図５の蛇腹状ガスバックにおけるガス排出作動状況を示す縦断面説明図である。
【図７】図５及び図６の蛇腹状ガスバックの取付け状況を示す斜視説明図である。
【図８】従来例の横置き円筒形状のボックス収納型膜式ガスホルダーを示す正面及び側面説明図である。
【符号の説明】
【００３２】
１ ボックス（コンテナボックス）
２，２ａ，２ｂ  ガス貯蔵バック
３  ノズル
４，４ａ，４ｂ  緩衝材
５，５ａ，５ｂ，５ｃ  断熱材
６  係留材
７ 空気室
８ ガス室
９ ブロア
１０ 入口
１１ 出口
１２ 当接面
１３ 仕切り壁
１４ レール
１５ ワイヤロープ
１６，１６ａ，１６ｂ  係合材
１７ ガイドワイヤ
１０１  ボックス（コンテナボックス）
１０２  ガス貯蔵バック
１０３  ノズル
１０４  支え部材
【図１】
2005048930.tif 000003
【図２】
2005048930.tif 000004
【図３】
2005048930.tif 000005
【図４】
2005048930.tif 000006
【図５】
2005048930.tif 000007
【図６】
2005048930.tif 000008
【図７】
2005048930.tif 000009
【図８】
2005048930.tif 000010